(57)【要約】【課題】牛その他の家畜についてその販売時点で耳標１７など識別標のバーコード１８と家畜情報標１９による家畜の固体の認識との間に誤りがないようにし、必要な情報を正確に入力するとともに、生産者に手渡す受領書ないし確認書（ラベル２１）を正確かつ読みやすい状態で作成可能とした家畜の販売管理システム、そのハンディターミナルおよび販売管理方法を提供すること。【解決手段】耳標１７のバーコード１８および家畜情報標１９のバーコード２０を読み取り、これらが一致した場合のみ家畜に関する諸情報を入力可能とすることに着目したもので、家畜に付けられた識別標１７に記載されたバーコード１８と、家畜を生産した生産者が有する家畜情報標１９に記載されたバーコード２０と、が合致した場合にのみ、家畜についての情報を入力することができるようにしたことを特徴とする。【選択図】　　　　図１
2004078295.tif 000002
【特許請求の範囲】
【請求項１】
生まれた家畜を販売する際の、当該家畜の固体識別を行うとともに管理に必要な情報を入力する家畜の販売管理システムであって、
前記家畜に付けられた識別標に記載されたバーコードと、
前記家畜を生産した生産者が有する家畜情報標に記載されたバーコードと、が合致した場合にのみ、前記家畜についての前記情報を入力することができるようにしたことを特徴とする家畜の販売管理システム。
【請求項２】
前記家畜を最初に販売する際に、前記バーコードを読み取ることを特徴とする請求項１記載の家畜の販売管理システム。
【請求項３】
前記バーコードを読み取るバーコードスキャナーと、
前記情報を入力するハンディターミナルと、
を有し、
このハンディターミナルに入力した前記情報を印字可能とするとともに、管理用パソコンにデータ送信可能とすることを特徴とする請求項１記載の家畜の販売管理システム。
【請求項４】
前記ハンディターミナルは、
前記情報の入力に必要な各種項目をあらかじめ保存するための家畜情報記憶部を有することを特徴とする請求項３記載の家畜の販売管理システム。
【請求項５】
前記家畜情報記憶部は、
前記識別標に記載された前記バーコード、
前記生産者、および
前記家畜の販売先、の少なくともいずれかひとつの項目を有することを特徴とする請求項４記載の家畜の販売管理システム。
【請求項６】
生まれた家畜を販売する際の、当該家畜の固体識別を行うとともに管理に必要な情報を入力する家畜の販売管理システムのハンディターミナルであって、
前記家畜に付けられた識別標に記載されたバーコードと、
前記家畜を生産した生産者が有する家畜情報標に記載されたバーコードと、を読み取り可能であるとともに、
これらのバーコードが合致した場合にのみ、前記家畜についての前記情報を入力することができるようにしたことを特徴とする家畜の販売管理システムのハンディターミナル。
【請求項７】
生まれた家畜を販売する際の、当該家畜の固体識別を行うとともに管理に必要な情報を入力する家畜の販売管理方法であって、
前記家畜に付けられた識別標に記載されたバーコードと、
前記家畜を生産した生産者が有する家畜情報標に記載されたバーコードを読み取り、これらのバーコードが合致した場合にのみ、前記家畜についての前記情報を入力することができるようにしたことを特徴とする家畜の販売管理方法。
【発明の詳細な説明】
【０００１】
【発明の属する技術分野】
本発明は家畜の販売管理システム、そのハンディターミナルおよび販売管理方法にかかるもので、とくに牛その他の家畜について販売時点での固体識別に誤りがないようにした家畜の販売管理システム、そのハンディターミナルおよび販売管理方法に関するものである。
【０００２】
【従来の技術】
従来の家畜、とくに子牛の販売処理ないし買い付け処理について概説する。
子牛を生産した生産者（生産酪農家）は、子牛が生まれて６カ月程度に成長した段階で、他の酪農家にこの子牛を販売し、この酪農家が育成酪農家として子牛を育て、成長した段階で、市場に出すことになる。この育成酪農家がさらに他の育成酪農家にこの牛を販売するなど、販売の過程が複数回にわたる場合もある。
家畜としては、牛、馬、豚、山羊などの哺乳類、あるいは鶏その他の鳥類などがあるが、とくに牛については、狂牛病（ＢＳＥ、牛海綿状脳症）や口てい疫などの問題から、その固体識別の厳格化ないし正確化、および販売ルートの正確な把握などが要請されている。
【０００３】
子牛には、その誕生の段階で、個別の識別標として、たとえば耳標が付けられ、耳標には作業者が読み取り可能である解説文字付きの固体識別用のバーコードが記載されている。さらに、生まれた子牛に関する各種の必要情報、たとえば当該固体識別用のバーコードはもちろん、生年月日、雄雌の区別、品種および生産者などを記載した家畜情報標（生誕シート）が準備されている。
この子牛の販売時点で、生産者すなわち販売者（生産酪農家）から購入者（育成酪農家）にこの家畜情報標中の各種必要情報が伝達される。
なお、この販売時に、農業協同組合が子牛の購入に関与し（仲介し）、所定の育成酪農家に子牛を再販売する場合もある。
【０００４】
しかしながら、いずれの販売ないし購入の際にも、購入者が生産者を訪問し、訪問した現地で、耳標のバーコードが表示している固体識別番号（耳標番号）や、生年月日、品種、体重、販売日、生産者、販売先などの諸情報をメモ書きなどで転記したシートを購入者はその事務所に持ち帰り、手入力で所定のパソコンなどに入力してデータベース化しているのが実状である。
したがって、上記諸情報を転記する際の誤記入の可能性は否定できないとともに、手間がかかり作業効率が低いという問題がある。なお、子牛についての内容確認書を生産者に手渡すことになっているが、手書きの場合には内容が読みにくいという問題がある。
さらに、正確に転記したにもかかわらず、パソコンに入力する際に誤入力する可能性もあるという問題がある。
また、耳標のバーコードによる固体識別番号と、生産者が有する上記家畜情報標のバーコードによる固体識別番号と、を照らし合わせて確認しながら転記する場合もあるが、誤って転記する可能性は否定できないという問題がある。
要するに、子牛に関する情報ないしそのデータベースが誤ったまま保存されてしまう結果、後日この牛に何らかの問題が発生した場合に、その販売ルートや固体識別に関する情報はもちろん、その他正確な情報を得ることができないという問題がある。
【０００５】
【発明が解決しようとする課題】
本発明は以上のような諸問題にかんがみなされたもので、牛その他の家畜についてその販売時点で必要な情報を正確に入力することができる家畜の販売管理システム、そのハンディターミナルおよび販売管理方法を提供することを課題とする。
【０００６】
また本発明は、耳標など識別標のバーコードと家畜情報標による家畜の固体の認識との間に誤りがないようにした家畜の販売管理システム、そのハンディターミナルおよび販売管理方法を提供することを課題とする。
【０００７】
また本発明は、家畜の販売時点、とくに最初に販売する際に、家畜に関する諸情報を正確に購入者に伝達可能とした家畜の販売管理システム、そのハンディターミナルおよび販売管理方法を提供することを課題とする。
【０００８】
また本発明は、家畜の販売時点で、生産者に手渡す受領書ないし確認書を正確かつ読みやすい状態で作成可能とした家畜の販売管理システム、そのハンディターミナルおよび販売管理方法を提供することを課題とする。
【０００９】
【課題を解決するための手段】
すなわち本発明は、耳標などのバーコードおよび家畜情報標のバーコードを読み取り、これらが一致した場合のみ家畜に関する諸情報を入力可能とすることに着目したもので、第一の発明は、生まれた家畜を販売する際の、当該家畜の固体識別を行うとともに管理に必要な情報を入力する家畜の販売管理システムであって、上記家畜に付けられた識別標に記載されたバーコードと、上記家畜を生産した生産者が有する家畜情報標に記載されたバーコードと、が合致した場合にのみ、上記家畜についての上記情報を入力することができるようにしたことを特徴とする家畜の販売管理システムである。
【００１０】
上記家畜を最初に販売する際に、上記バーコードを読み取ることができる。
【００１１】
上記バーコードを読み取るバーコードスキャナーと、上記情報を入力するハンディターミナルと、を有し、このハンディターミナルに入力した上記情報を印字可能とするとともに、管理用パソコンにデータ送信可能とすることができる。
【００１２】
上記ハンディターミナルは、上記情報の入力に必要な各種項目をあらかじめ保存するための家畜情報記憶部を有することができる。
【００１３】
上記家畜情報記憶部は、上記識別標に記載された上記バーコード、上記生産者、および上記家畜の販売先、の少なくともいずれかひとつの項目を有することができる。
【００１４】
第二の発明は、生まれた家畜を販売する際の、当該家畜の固体識別を行うとともに管理に必要な情報を入力する家畜の販売管理システムのハンディターミナルであって、上記家畜に付けられた識別標に記載されたバーコードと、上記家畜を生産した生産者が有する家畜情報標に記載されたバーコードと、を読み取り可能であるとともに、これらのバーコードが合致した場合にのみ、上記家畜についての上記情報を入力することができるようにしたことを特徴とする家畜の販売管理システムのハンディターミナルである。
【００１５】
第三の発明は、生まれた家畜を販売する際の、当該家畜の固体識別を行うとともに管理に必要な情報を入力する家畜の販売管理方法であって、上記家畜に付けられた識別標に記載されたバーコードと、上記家畜を生産した生産者が有する家畜情報標に記載されたバーコードと、が合致した場合にのみ、上記家畜についての上記情報を入力することができるようにしたことを特徴とする家畜の販売管理方法である。
【００１６】
本発明による家畜の販売管理システム、そのハンディターミナルおよび販売管理方法においては、耳標などのバーコードおよび家畜情報標などのバーコードを読み取り、これらが一致した場合のみ家畜に関する諸情報を入力可能とし、一致しない場合にはエラーとするようにしたので、牛その他の家畜に関するとくに最初の販売時点での誤入力を回避し、固体識別用の諸情報を購入者ないし次段に正確に伝達することができる。
【００１７】
とくに第一の発明による家畜の販売管理システムによれば、家畜に付けられた耳標など識別標のバーコードと、生産者が有する家畜情報標あんどのバーコードと、が合致した場合にのみ、家畜についての情報を入力することができるようにしたので、正確なデータ処理が可能であるとともに、固体としての当該家畜と、この家畜に関するデータとしての番号との間の食い違いを認識して、必要情報の入力誤りを事前に回避することができる。
【００１８】
とくに第二の発明による家畜の販売管理システムのハンディターミナルによれば、識別標のバーコードおよび家畜情報標のバーコードを読み取り可能とするとともに、必要な情報を随時入力可能としたので、家畜に関する販売時点でのデータ伝達処理を簡便かつ正確に行うことができる。
【００１９】
とくに第三の発明による家畜の販売管理方法によれば、識別標のバーコードおよび家畜情報標のバーコードが合致した場合にのみ、家畜についての情報を入力することができるようにしたので、第一の発明と同様に、正確なデータ処理が可能であるとともに、必要情報の入力誤りを事前に回避することができる。
【００２０】
【発明の実施の形態】
つぎに本発明の実施の形態による家畜の販売管理システム、そのハンディターミナルおよび販売管理方法を図１ないし図４にもとづき説明する。
図１は、家畜の販売管理システム１の概略全体図であって、家畜の販売管理システム１は、管理用パソコン２と、ハンディターミナル３と、バーコードスキャナー４と、プリンター５と、を有し、必要に応じて、管理用パソコン２およびハンディターミナル３の間のデータ通信を可能とする通信ユニット６を設けることもできる。
【００２１】
管理用パソコン２は、任意のアプリケーションソフトにより、子牛その他任意の家畜に関する各種の管理を行うためのもので、農業協同組合あるいは育成酪農家など購入者の事務所に配備するものである。
【００２２】
ハンディターミナル３は、生産者（生産酪農家）の牧場など任意の場所に携帯可能であって、バーコードスキャナー４を接続して、任意のタイプのバーコードを読み取り可能とするとともに、各種のデータ入力を行い、さらに単独で、あるいは通信ユニット６を介してデータ通信を行うことができる。
図２は、ハンディターミナル３の概略回路図であって、ハンディターミナル３は、ＣＰＵ７と、ＲＯＭ８およびＲＡＭ９と、データ照合部１０と、家畜情報記憶部１１と、第１のインターフェース１２に接続した上記バーコードスキャナー４、表示部１３およびデータ入力部１４と、第２のインターフェース１５に接続した通信ポート１６と、を有する。
【００２３】
バーコードスキャナー４は、子牛その他の家畜にその誕生段階で付けられた耳標１７（識別標）に記載された固体識別用の識別標バーコード１８（バーコード）、および生産者が作成管理する家畜情報標１９（生誕シート）に記載された情報標バーコード２０（バーコード）を読み取り可能である。
データ照合部１０が、識別標バーコード１８および情報標バーコード２０の照合を行う。
【００２４】
プリンター５は、有線あるいは無線によりハンディターミナル３と接続可能であって、ハンディターミナル３により入力したデータを必要に応じて必要な印字媒体たとえばラベル２１に出力可能とするもので、任意の方式のプリンターたとえばサーマルプリンターなどを採用することができる。
家畜情報記憶部１１は、ラベル２１に出力するための任意の各種項目をあらかじめ保存可能であって、データ入力部１４によるデータ入力作業を簡便としている。
【００２５】
図３は、ラベル２１の印字項目の一例を示す説明図であって、ラベル２１は、販売時点における生産者への受領書ないし確認書とすることができる。
図３に示すように、家畜情報記憶部１１に記憶されているラベル２１への印字項目としては、販売の年月日項目２２、時刻項目２３、識別標バーコード１８（情報標バーコード２０）による耳標番号項目２４、生産酪農家の酪農家番号項目２５および酪農家名項目２６、家畜の品種の品種番号項目２７および品種名項目２８、体重項目２９、性別項目３０、種雄牛の種雄牛番号項目３１および種雄牛名項目３２、販売先（購入者、育成酪農家）の販売先番号項目３３および販売先名項目３４、子牛の生年月日項目３５、ならびに当該データ処理を行った作業者の作業者番号項目３６および作業者名項目３７、などがある。
これらの各項目は、管理用パソコン２により作成し、ハンディターミナル３にあらかじめデータ送信しておくことができ、データ入力の弁とすることができる。
【００２６】
こうした構成の家畜の販売管理システム１およびハンディターミナル３により、子牛を販売（購入）する際のデータ処理について、図４も参照して以下説明する。
図４は、本発明による販売管理方法のとくにデータ入力処理段階のフローチャート図であって、ステップＳ１において耳標１７の識別標バーコード１８が入力されたかを判断する。ステップＳ２において家畜情報標１９の情報標バーコード２０が入力されたかを判断する。
なお、読み取った識別標バーコード１８および情報標バーコード２０を番号として表示する際には、たとえば「１」あるいは「２」などと数字を表示して、「１回目」あるいは「２回目」を判別することができるようにし、それぞれを識別可能とすることができる。
【００２７】
ステップＳ３において、これらの識別標バーコード１８および情報標バーコード２０が互いに一致しているか否かを判断し、一致していれば、ステップＳ４においてハンディターミナル３により必要な家畜情報（ラベル２１の各項目、図３）を順次入力する。
【００２８】
ついでステップＳ５において、通信ポート１６を介してハンディターミナル３から管理用パソコン２にデータ伝送し、各種管理のデータベース化を図るとともに、プリンター５によりラベル２１に出力して、販売の受領書ないし確認書とする。したがって、従来は事後処理であった受領書などを販売時点すなわち生産者の場所において直ちに発行することができる。
もちろん、事務所に戻ったのち、ハンディターミナル３から管理用パソコン２にデータを出力するようにしてもよい。
【００２９】
ステップＳ３において、識別標バーコード１８および情報標バーコード２０が互いに一致しなければ、ステップＳ６においてハンディターミナル３におけるデータ入力を不可能とするとともに、エラー表示を行い、固体としての家畜と家畜情報標１９とが食い違っていることを明示する。
【００３０】
かくして、とくに子牛など家畜の最初の販売の段階において、耳標１７の識別標バーコード１８および家畜情報標１９の情報標バーコード２０を照合確認することにより、データの誤入力を避けるとともに、データ入力処理を簡単に手間をかけずに行うことができる。
【００３１】
【発明の効果】
以上のように本発明によれば、耳標など識別標のバーコードと家畜情報標のバーコードとを照合確認することにより、データの誤入力を避けるとともに、データ入力処理を簡単に手間をかけずに行うことができ、家畜のデータベースを正確に作成可能で、生産者および購入者の負担を軽減することができる。
【図面の簡単な説明】
【図１】本発明の実施の形態による家畜の販売管理システム１の概略全体図である。
【図２】同、ハンディターミナル３の概略回路図である。
【図３】同、ラベル２１の印字項目の一例を示す説明図である。
【図４】同、家畜の販売管理方法のとくにデータ入力処理段階のフローチャート図である。
【符号の説明】
１　家畜の販売管理システム（実施の形態、図１）
２　管理用パソコン
３　ハンディターミナル（実施の形態、図２）
４　バーコードスキャナー
５　プリンター
６　通信ユニット
７　ＣＰＵ（図２）
８　ＲＯＭ
９　ＲＡＭ
１０　データ照合部
１１　家畜情報記憶部
１２　第１のインターフェース
１３　表示部
１４　データ入力部
１５　第２のインターフェース
１６　通信ポート
１７　耳標（識別標）
１８　識別標バーコード（バーコード）
１９　家畜情報標（生誕シート）
２０　情報標バーコード（バーコード）
２１　ラベル
２２　販売の年月日項目
２３　時刻項目
２４　識別標バーコード１８（情報標バーコード２０）による耳標番号項目
２５　生産酪農家の酪農家番号項目
２６　生産酪農家の酪農家名項目
２７　家畜の品種の品種番号項目
２８　家畜の品種名項目
２９　体重項目
３０　性別項目
３１　種雄牛の種雄牛番号項目
３２　種雄牛の種雄牛名項目
３３　販売先（購入者、育成酪農家）の販売先番号項目
３４　販売先の販売先名項目
３５　子牛の生年月日項目
３６　データ処理を行った作業者の作業者番号項目
３７　データ処理を行った作業者の作業者名項目
【図１】
2004078295.tif 000003
【図２】
2004078295.tif 000004
【図３】
2004078295.tif 000005
【図４】
2004078295.tif 000006